(57)【特許請求の範囲】
【請求項１】
収納ケースの外皮の内側に補強部材が配設され、釣竿等を収納して運搬可能な釣竿収納ケースであって、前記補強部材が複数のリブ又は隔壁を有してリブ間又は隔壁間が中空状であり、収納された竿の長手方向に概略沿う縦方向に前記リブ又は隔壁が延伸している領域が存在し、前記補強部材は発泡性部材で挟まれていることを特徴とする釣竿収納ケース。
【請求項２】
収納ケースの開口側を前側とし、少なくとも左右何れかの側面部において、縦方向長さの大部分の長さに亘って前記リブ又は隔壁が配設され、しかも該縦方向のリブ又は隔壁と交差する方向のリブ又は隔壁を殆ど有していない請求項１記載の釣竿収納ケース。
【発明の詳細な説明】
【０００１】
【発明の属する技術分野】
本発明は、少なくとも釣竿を収納し、その他リール、こませすくい等の釣用品を収納でき、車等から出した後は、主として釣人が肩に担いで釣りの現場に運搬できる釣竿収納ケースに関する。
【０００２】
【従来の技術】
釣竿等を収納して釣り場に携行して行く釣竿収納ケースは、各社が種々販売している。収納ケースは携行されるため、美観も大切であり、また、丈夫さも必要である。更には、釣竿等を収納したり、取り出したりの作業性の良いことも重要である。そこで、外観がよくて汚れにも強く、しかも擦っても傷み難い丈夫な外皮を採用する。また、内側には内皮を設けることが多い。然しながら、この外皮や内皮のみではケースとしての保形力が弱いため、この外皮と内皮との間にポリエチレン製の板部材を配設したものがある。
【０００３】
【発明が解決しようとする課題】
然しながら、例えば、磯釣り等においては、収納ケース毎放り投げることもあり、こうした場合においても扱い易くする必要がある。
依って本発明では、収納されている釣竿が損傷することの無いように、或る程度剛性が高く、しかも軽量な釣竿収納ケースの提供を目的とする。
【０００４】
【課題を解決するための手段】
上記目的に鑑み、本発明では請求項１において、収納ケースの外皮の内側に補強部材が配設され、釣竿等を収納して運搬可能な釣竿収納ケースであって、前記補強部材が複数のリブ又は隔壁を有してリブ間又は隔壁間が中空状であり、収納された竿の長手方向に概略沿う縦方向に前記リブ又は隔壁が延伸している領域が存在し、前記補強部材は発泡性部材で挟まれていることを特徴とする釣竿収納ケースを提供する。
中空状とは、完全な空洞でもよいことは勿論であるが、発泡部材が詰められていてもよい。また、縦方向に延伸したリブ又は隔壁が存在すればよく、これ以外に、これらに交差する方向（横方向や斜め方向）に延伸したリブ又は隔壁が存在していてもよい。
収納ケースの縦方向に補強部材のリブや隔壁が延伸しているため収納ケースを横方向に撓ませるような力に対して剛性が高まり、収納されてこの縦方向に延伸している釣竿が大きな曲げを受けて損傷することを防止できる。また、中空状であるため、軽量であり、結局、軽量かつ高強度な釣竿収納ケースとなる。更には、収納ケースの表面部が硬い感触となって高級感を損なうことを防止する。
【０００５】
また請求項２において、収納ケースの開口側を前側とし、少なくとも左右何れかの側面部において、縦方向長さの大部分の長さに亘って前記リブ又は隔壁が配設され、しかも該縦方向のリブ又は隔壁と交差する方向のリブ又は隔壁を殆ど有していない請求項１記載の釣竿収納ケースを提供する。
請求項１の作用効果に加え、釣竿を収納したり取り出す際に、左右何れかの側面部は左側又は右側に開かれる必要性がある。従って、この領域に縦方向に対して交差する方向のリブ又は隔壁を殆ど有していなければ、開閉方向の曲げが自在であり、釣竿等の出し入れが容易になる。
【０００６】
【発明の実施の形態】
以下、本発明を添付図面に示す実施形態例に基づき、更に詳細に説明する。
図１は本発明に係る釣竿収納ケースの一実施形態例の斜視図であり、底部材１８を下にして地面等に立てた状態である。この図の上下方向を本願では縦方向としており、釣竿は概略この縦方向に収納される。、この形態例の収納ケースの基本形態は、収納ケースを開閉するためのチャック部１６のある側を正面部１０Ｃとすれば、左側面部１０Ａ、右側面部１０Ｂ、背面部１０Ｄの４面から構成されている。これが一般的な基本形態であるが、左右側面部と背面部との境が明瞭でない形態もある。即ち、後者は、正面部と、その他の周面部とで基本形態が構成されている収納ケースである。
【０００７】
上記の基本形態に対して、底面部として、この形態例ではプラスチックによる箱型の底部材１８が装着されている。また、背面部１０Ｄには、この収納ケースを運搬する際に、肩に掛けて運び易くするための帯状のショルダー部材１２Ａが装着されている。また、上面部近くには他の帯状の掴み部材１２Ｂが装着されている。その他、左側面部１０Ａの所定領域には、２次的な収納ケース体１４が装着されており、１５はその開閉のためのチャック部である。
【０００８】
左側面部１０Ａの矢視線Ｂ−Ｂによる断面拡大図を図２に示す。収納ケースの外側表皮（外皮）Ａの内側であって、内側表皮Ｅとの間に、補強部材Ｃが配設されている。この補強部材Ｃは、図３に示すような空洞部Ｋを有する平板状部材であり、一側の平面部Ｃ１と、これに対向している他側の平面部Ｃ２との間には、概ねこれらの平面部に直交する方向に延伸して両平面部と接続されている隔壁Ｒが概ね等ピッチで配設されている。それらの間は空間Ｋである。この実施形態例では、これらの隔壁Ｒは互いに平行に延伸し、これらに対して斜めや横方向に交差する隔壁は存在しない。
【０００９】
また、補強部材ＣはＡＢＳ樹脂、ポリプロピレン、又はポリカ（商品名）等で成形され得る。本実施形態例のように、隔壁が一方向にのみ延伸している場合は、成形方法としては押出し成形で成形できる。内外表皮間に補強部材Ｃを配設しただけで後述のように釣竿を保護できるが、収納ケースの表面部が硬い感触となって高級感を損なうため、スポンジ等の発泡性部材Ｂ，Ｄによって補強部材を挟み、この三層体Ｂ，Ｃ，Ｄを外側表皮Ａと内側表皮Ｅとの間に配設している。
【００１０】
矢視線Ｂ−Ｂによる横断面図である図２からも判るが、隔壁Ｒの延伸方向を、図１において、収納ケースの左側面部１０Ａに破線で示しており、隔壁が収納ケースの縦方向に延伸するように、補強部材Ｃを配設している。この実施形態例では、左側面部１０Ａの概ね全体に亘って補強部材Ｃを配設している。このように、収納ケースの縦方向に隔壁Ｒが延伸するように補強部材Ｃを配設していれば、収納ケースを、この縦方向に直交する横方向に撓ませる外力に対して抵抗となる剛性が高くなり、内部に収納されている釣竿が損傷することを防止できる。従って、隔壁Ｒは収納ケースの縦方向において、極力分断されていない方が、上記の撓みに対する剛性が高く、補強の意味から好ましい。
【００１１】
然しながら、収納ケースの製造上等の都合から、幾つかに分断されていても構わない。隔壁が縦方向に延伸しており、横方向に延伸する隔壁が、全く無い状態を含む意味で殆ど無ければ、例えば、チャック部を開いて左側面部１０Ａを左外方に開く際に、縦方向に延伸している隔壁Ｒの存在は、左側面部のこの開放方向の剛性（既述の縦方向の剛性に対して直交する方向の剛性）としては殆ど寄与せず、左側面部は開放方向に柔軟に撓み変形しつつ開けることができ、扱い易い。然しながら、縦方向の隔壁Ｒに対して交差する、特に直交する方向に延伸する隔壁を設け、平面部Ｃ１，Ｃ２の平面状態を維持してもよい。
【００１２】
この実施形態例では、左側面部１０Ａの他、右側面部１０Ｂと背面部１０Ｄも、図２の断面図で示す補強部材採用構造（隔壁が縦方向に延伸している）であるが、この３面部の内の任意の１つの面部だけでもよく、また、任意の２つの面部だけでもよい。更には、何れの面部においても同様だが、１つの面部における全体に亘って配設される必要はなく、その一部の領域でもよい。また、この形態例では、正面部１０Ｃは、隔壁Ｒ’が収納ケースの左右方向に延伸する向きに同様な補強部材を配設している。これによってチャック部１６を開けた際にも収納ケースの厚さ（正面部１０Ｃの左右方向幅）が保持され、収納物がこぼれること無く、内部に収容維持され易い。
【００１３】
この意味では背面部１０Ｄの補強部材の隔壁も、正面部と同様な方向にしてもよい。また更に、この正面部にも、背面部や左右側面部と同様に隔壁が縦方向（前記の左右方向に対して直交する方向）に延伸するように補強部材を配設してもよい。この場合、折れ目１０Ｃ１，１０Ｃ２，１０Ｃ３，１０Ｃ４において補強部材を分断すると配設し易い。
【００１４】
以上では、補強部材が１対の平面部Ｃ１，Ｃ２を有していたが、一方の平面部が無くて、上記実施形態例の隔壁がリブとなってもよい。また、隔壁とリブとが混在する形態でもよい。何れにしても、各隔壁やリブ間が空洞状態であるため、剛性が高くなって収納ケースを補強できる割りに、軽量となる。また、上記の収納ケースは正面部、背面部、左右側面部の４面を有しているが、既述のように背面部と左右側面部とが連続的になって区別できない形態であってもよく、また、その他の形態でもよい。
【００１５】
図４は、補強部材の他の形態Ｃ’を例示しており、隔壁Ｒ”は平面部Ｃ１又はＣ２と合わせて、空洞部Ｋ’が三角柱状になるように設けられている。従って、図３の形態よりもより高強度になる。補強部材は、その他の任意形状に構成できる。
【００１６】
【発明の効果】
以上の説明から明らかなように本発明によれば、収納されている釣竿が損傷することの無いように、或る程度剛性が高く、しかも軽量な釣竿収納ケースが提供可能となる。
【図面の簡単な説明】
【図１】図１は本発明に係る釣竿収納ケースの第１形態例を示す斜視図である。
【図２】図２は図１の矢視線Ｂ−Ｂによる拡大横断面図である。
【図３】図３は図２の補強部材の部分斜視図である。
【図４】図４は補強部材の他の形態例を示す図である。
【符号の説明】
１０Ａ                  左側面部
１０Ｂ                  右側面部
１０Ｃ                  正面部
１０Ｄ                  背面部
Ｃ                      補強部材
Ｒ，Ｒ’，Ｒ”          隔壁
【図１】
0004281981.tif 000002
【図２】
0004281981.tif 000003
【図３】
0004281981.tif 000004
【図４】
0004281981.tif 000005